(57)【特許請求の範囲】
【請求項１】
上下に間隔をおいて対向して配置される一対の磁石と、この一対の磁石をその一端側で支持する支持本体とを備え、前記一対の磁石の間に形成される空間内に被検者を挿入して被検者の断層写真を連続して取得する核磁気共鳴診断装置において、
前記核磁気共鳴診断装置を、前記上部の磁石を覆う円筒形状の上磁石カバーと、前記下部の磁石を覆う円筒形状の検査台と、前記支持本体を覆う１本の支柱部と、前記空間内に被検者を挿入するためのベッド部とを含んで構成し、
前記支柱部は、その横幅を前記検査台の横幅より狭く、かつ前記検査台の一端側に形成される架橋を介して前記検査台の外周に張り出して形成され、
前記ベッド部は、被検者を乗せるスライド天板と、該スライド天板をその長手方向に移動可能に載置する天板と、該天板を保持する支持台と、前記天板の長手方向の一端側に形成される結合部とを備え、
前記検査台は、前記支柱部と対向する他端側の外周に、前記結合部と接触する円周面を備えた接触部を備え、
前記接触部と結合部は、前記ベッド部の長手方向の中心線の延長線が前記検査台の中心を通るように接続可能であり、
前記ベッド部が前記検査台に接続される範囲は、前記検査台の中心と前記支柱部との中心を通る直線に対して、前記検査台の中心を通って直交する線よりも支柱側の象限内にある状態を含み、
前記ベッド部が支柱側の象限内にある状態は、前記スライド天板が前記検査台の中心に向かって移動し得る
ことを特徴とする核磁気共鳴診断装置。
【請求項２】
上下に間隔をおいて対向して配置される一対の磁石と、この一対の磁石をその一端側で支持する支持本体とを備え、前記一対の磁石の間に形成される空間内に被検者を挿入して被検者の断層写真を連続して取得する核磁気共鳴診断装置において、
前記核磁気共鳴診断装置を、前記上部の磁石を覆う円筒形状の上磁石カバーと、前記下部の磁石を覆う円筒形状の検査台と、前記支持本体を覆う１本の支柱部と、前記空間内に被検者を挿入するためのベッド部とを含んで構成し、
前記支柱部は、前記検査台の一端側に形成される架橋を介して前記検査台の外周の一端側に張り出して形成され、
前記ベッド部は、被検者を乗せるスライド天板と、該スライド天板をその長手方向に移動可能に載置する天板と、該天板を保持する支持台と、前記天板の長手方向の一端側に形成される結合部とを備え、
前記検査台の中心と前記支柱部との中心を通る直線に対して、前記検査台の中心を通って直交する線よりも支柱側の象限内にあって、前記検査台の前記直交する線上での幅よりも小さな幅の部分が前記検査台と前記架橋との繋ぎ部とされ、
前記検査台は、その周囲に配置される前記ベッド部の長手方向の延長線が、該検査台の中心位置を通るように、前記結合部と接触可能な接触部を備え、
前記接触部は、前記支柱側の一方の象限に形成される繋ぎ部から開始し、他方の象限内に形成される他の繋ぎ部で終了する範囲に形成される円周面を備え、
前記ベッド部は、前記接触部が形成される角度の範囲内で前記検査台に対向して配設され、前記スライド天板が前記検査台の中心に向かって移動し得る
ことを特徴とする核磁気共鳴診断装置。
【請求項３】
前記請求項１または２記載の核磁気共鳴診断装置において、
前記接触部と接合部とが接続可能な範囲は前記検査台の中心に対して２００度以上の範囲で連結可能である
ことを特徴とする核磁気共鳴診断装置。
【請求項４】
前記請求項１から３記載の何れか１つの核磁気共鳴診断装置において、
前記検査台は、その上面に、前記天板を載せる水平円形部を備え、前記架橋は前記水平円形部と前記支柱の周囲とを結ぶ平面を備えている
ことを特徴とする核磁気共鳴診断装置。
【請求項５】
前記請求項１から４記載の何れか１つの核磁気共鳴診断装置において、
上磁石カバーは、垂直方向の周囲に横カバー部を有し、
前記横カバー部は、前記接触部の範囲内であって、かつ、前記検査台の中心と前記支柱部との中心を通る直線に対して、前記検査台の中心を通って直交する線よりも支柱側の象限の範囲外に核磁気共鳴診断装置の操作盤を設置した
ことを特徴とする核磁気共鳴診断装置。
【発明の詳細な説明】
【０００１】
【発明の属する技術分野】
本発明は、核磁気共鳴診断装置（ＭＲＩ装置）に関する。
【０００２】
【従来の技術】
ＭＲＩ装置は、核磁気共鳴（ＮＭＲ）現象を利用して被検者の検査部位における断層画像を連続的に得て診断に供するものである。ＭＲＩ装置は、被検者の検査部位にＮＭＲ現象を生じさせるために磁場を発生させ、その磁場内に被検者の検査部位を入れることが必要となる。
【０００３】
従来のＭＲＩ装置は、強磁場内にトンネル状の穴を形成し、この穴に被検者を寝かせるのが一般的であった。この種の装置にあっては、強磁場を発生しやすいが、狭い穴内に被検者を入れるものであるので、検査しにくいという問題があった。このため、トンネル状の穴、すなわち空間を使用しないで支柱で磁石を支えてＮＭＲ現象を生じさせるようになって来た。支柱は、特開平８−１４０９５８号公報に記載されているように２本の支柱として磁石を支える方式が一般的であるが、１本の支柱で磁石を支える方式も提案されて来ている。
【０００４】
【発明が解決しようとする課題】
医師等が検査と同時に治療を行う場合、特に頭部の検査では、針などの器具を検査部位に挿し入れて、画像を見ながら治療を行う。この時、医師等が複数作業する、または器具を配置するために、左右両側面の開放空間が多く必要である。従来の装置では開放された３側面のうち、壁（柱）と対向する開放面から、被検者を壁（柱）と計測空間中心を通る直線に垂直となるように寝かせるものがあったので、被検者の腹部の計測部位に対して治療を行う場合、医師は壁面と対向する開放空間に立つことによって左右両側に開放空間を得るが、被検者を乗せるベッドの支持機構や被検者自身の頭部や足部に阻まれて、実質的な広い開放空間は得られなかった。頭部の治療を行う場合は、頭部の左右のどちらかの一方が壁面（支柱）と対向するため、開放空間は壁面（支柱）と反対側の空間に限られており、その側だけが医師等がアクセスできる空間となっていたため使い勝手が悪いという課題があった。
【０００５】
また、狭い診断室に置かれる場合は、診断室の壁面と装置の隙間が少なく、治療に必要な開放空間を確保することが困難であった。
【０００６】
本発明は、かかる点に鑑み、検査台の周囲に連続した広い開放空間領域を形成し、医師等の被検者へのアクセス性を向上せしめるものであり、特に１８０度以上に亘り広い開放空間を形成せしめることのできるＭＲＩ装置を提供することを目的とする。
【０００８】
【課題を解決するための手段】
本発明に係る核磁気共鳴診断装置は、前記目的を達成するために、上下に間隔をおいて対向して配置される一対の磁石と、この一対の磁石をその一端側で支持する支持本体とを備え、前記一対の磁石の間に形成される空間内に被検者を挿入して被検者の断層写真を連続して取得する核磁気共鳴診断装置において、前記核磁気共鳴診断装置を、前記上部の磁石を覆う円筒形状の上磁石カバーと、前記下部の磁石を覆う円筒形状の検査台と、前記支持本体を覆う１本の支柱部と、前記空間内に被検者を挿入するためのベッド部とを含んで構成し、前記支柱部は、その横幅を前記検査台の横幅より狭く、かつ前記検査台の一端側に形成される架橋を介して前記検査台の外周に張り出して形成され、前記ベッド部は、被検者を乗せる天板と、該天板を保持する支持台と、該支持台に対して前記天板をその長手方向に移動可能に載置する天板支持手段と、前記天板の長手方向の一端側の前記支持部に形成される結合部とを備え、前記検査台は、前記支柱部と対向する他端側の外周に、前記結合部と接触する円周面を備えた接触部を備え、前記接触部と接合部は、前記ベッド部の長手方向の中心線の延長線が前記検査台の中心を通るように接続可能であり、前記ベッド部が前記検査台に接続される範囲は、前記検査台の中心と前記支柱部との中心を通る直線に対して、前記検査台の中心を通って直交する線よりも支柱側の象限内にある状態を含んでいる。
【００１２】
【発明の実施の形態】
以下、本発明の実施例を図面に基づいて説明する。
図１から図５は、本発明の実施例のＭＲＩ装置の構成を示す。図１および図２において、ＭＲＩ装置１のガントリー２は、上磁石カバー４、下磁石カバー５、と支持装置としてのベッド３と支柱６と検査台１１を備えて構成される。箱状の上磁石カバー４は、側面にほぼ垂直情に形成された横カバー２１，２２を有し、装置の見栄えをよくしている。
【００１３】
横カバー２１，２２上にはそれぞれ操作盤２３，２４が設けてあってＭＲＩ装置１全体の操作を行うことができるようにされている。具体的には、ＭＲＩ装置１は各種データを記憶した記憶装置を内蔵したコンピュータ（図示せず）によってコントロールされ、指示入力が操作盤２３，２４によってなされる。操作盤２３，２４はそれぞれ画面部である表示器４１と入力部である操作スイッチ４２を有し、入力した値を画面で確認しつつ装置操作を行うことができる。
【００１４】
検査台１１は、ほぼ円形状の箱形状とされ、水平円形部２８と、上端部にある円形状の接触面である検査台円形状接触面２５と、そして下端部にある円形状の蹴込み２６とを有する箱２７を含む。検査台円形状接触面２５と蹴込み２６との間には下磁石カバー５が設けられ、検査台円形状接触面２５に対して平行とされる。検査台１１の上表面はスライド天板４３の載る水平円形部２８とされる。
【００１５】
箱２７は、支柱６の支柱カバー３３に一体化された箱状部分として形成される。支柱カバー３３と一体化された箱部２９は図４にあるように断面状を見てみると台形状をした直方体形状をなす。従って、箱２７は、円形状の箱形状部と直方体形状部とから構成され、その接続面が繋ぎ部３０とされる。尚、継ぎ部３０は離間される構造であってもよい。一体化された箱２７は検査台１１のための箱であり、その上に検査台１１が形成される。従って、検査台１１の下方ある箱２７は下磁石カバー５を含み、下磁石１８を覆う。
【００１６】
図１に示すように、箱２７が箱本体部３５と検査台１１と検査台円形接触面２５を有する場合、繋ぎ部３０はこの両者に形成され得る。（３０ａ、３０ｂとして示す。）
図４は図３のVI‐VI断面を示す。
【００１７】
図３および図４に示すように、上磁石カバー４内には上磁石１７が、そして、下磁石カバー５内には下磁石１８が間隔を置いて水平に、かつ対向して配設される。上磁石１７および下磁石１８はそれぞれ円盤状をなし、磁束通路を確保する機能を有する鉄製の支柱本体１６に支持され、これらのユニットは、他の支柱３１，３２によって保持される。
【００１８】
従って、この実施例で支柱６は、上磁石１７および下磁石１８を支持する支柱本体１６とこれを覆って構成され、上磁石カバー４と一体化された支柱カバー３３によって構成され、外部に露出する面を有するユニットであり、ガントリー２の一部をなす。
【００１９】
支柱６と検査台体１０との間には、箱部２９の上面にあって架橋３４が設けられる。架橋３４は水平状に配設された、支柱６周囲と検査台１１とを結ぶ平面と箱２７、箱部２９の一部である検査円形状接触面２５から形成される。
【００２０】
この支柱６は、本実施例の場合、上磁石カバー４と検査台体１０を連結する唯一の構成体としてまとめてあり、検査台１１の周囲に配置する支柱６の配設領域（角度）を小さくすることができる。配設領域の小さな検査台１１の採用は、後述するように、ベッド３の設置許容領域を拡大し、連続した広い開放空間を提供することになる。
尚、ガントリー２内あるいは支柱６内の空隙部には断熱材１９が配設される。
【００２１】
図１において、検査台１１の検査台円形状接触面２５の周囲のいずれかの位置でベッド３（支持装置）が配設される。
【００２２】
ベッド３は、ベッド台７一部の天板４５（保持台）と天板４５を保持する支持台８（両者は、スライド天板支持手段を構成する）から構成され、天板７は、その上面にスライド可能なスライド天板４３が載置され、スライド天板４３はマット４４を載置する。また、スライド天板４３がスライドする保持板４５が設けられる。スライド天板４３はスライド駆動機構（図示せず）によって検査台１１上までスライドされ得る。この場合に、保持台である天板４５の先端部は検査台円形状接触面２５に対する接続部９となる。通常は、接続部９を検査台円形状接触面２５に接触させて、すなわち接続させて使用するが、多少離間させて使用するようにしても構わない。箱２７を検査台円形状接触面２５から内方に後退させてもよい。支持台８の周囲は蛇腹とされ、内部にリンク機構からなる上下動装置（図示せず）が設けられる。
【００２３】
図５は、図３のＶ‐Ｖ断面を示す。
また、図５は、支柱６の幅ｌと検査台１１の直径などの幅Ｌとの関係を示す。中心Ｏから支柱６の手前側の周縁角部に接触するように引いた接触線（以下、接線という）Ｍ、Ｎによって定まる幅をｌ（長方形であればｌ）、検査台体の直径をＬとすると、本実施例では唯一の支持体とし、かつ＜Ｌとすることに１つの特徴がある。
【００２４】
図６は、検査台１１上にスライドして来たスライド天板４３と支柱６との関係、すなわちスライド天板４３の配設の限界を説明するための図である。
【００２５】
前述した繋ぎ部３０は、スライド天板４３を支持する支持台８の支柱６方向への配設を繋ぎ部３０を越えては配設できない機能を有し、配設制御部あるいは配設障害部としての機能を有する。このことは、図５にあるように支柱６と検査台１１とを結んだ線が、検査台中心とする直交線と検査台の周縁部が交わる部分から直交線に直角に支柱方向に延ばした線より内側に後退していることにより生ずる構成である。
【００２６】
スライド天板４３は、保持板４５あるいは支持台８が箱部２９によって配設が阻止あるいは摩耗されない限り、配設の限界は図に示す位置を越えて支柱６に接触するまで可能である。従って、支柱６の横方向幅を狭く構成することが広い開放空間を得るために重要である。このため、前述のように、ｌ＜Ｌとしている。
【００２７】
つまり、図５にあるように支柱と検査台との間にある架橋３４と検査台１１とを結んだ線（繋ぎ部３０）が、検査台中心と支柱の中心を結ぶ中心線Ｒに対して検査台中心を通って直交する直交線Ｒ’と検査台の周縁部が交わる部分３９から直交線Ｒ’に直角に支柱方向に延ばした線Ｒ”より後退している。
【００２８】
そして、このような広い開放空間を獲得できるためのスライド天板４３の設置位置は検査台１１の周囲に以下のような設定が可能である。
【００２９】
図６において、検査台１１の中心０を通って支柱６の中心に向って引いた中心線Ｒと、検査台１１の中心０を通って中心線Ｒに対して直角にひかれた直角線Ｒ’を考えた場合、それぞれ中心線Ｒと直交線Ｒ’によって支柱側に第１象限Ａおよび第２象限Ｂ、支柱の反対側に第３象限Ｄおよび第４象限Ｃが形成される。
【００３０】
そして、スライド天板４３の設置位置の移動範囲は実線で示す第１象限Ａから始まり、第４象限Ｃ、第３象限Ｄを通って第２象限Ｂに至って終了する範囲で決まることになる。
【００３１】
図６の例では、スライド天板４３を支持する支持台８が繋ぎ部３０に接触して、すなわち箱部２９の架橋３４によって制限されて、支柱側に移動できない状態を示しており、この場合のα３は７０度に設定されている。従って、この例では第３象限Ｄおよび第４象限Ｃを通り、中心線Ｒを境にして第２象限Ｂに対象にスライド天板４３が移動できることになる。
【００３２】
この場合の移動範囲は第３象限Ｄと第４象限Ｃの移動範囲１８０度と、第１象限Ａと第２象限Ｂの移動範囲（９０−７０）×２＝４０度を加えた２２０度となる。このときα０は９０度となっている。
【００３３】
また、前述したようにスライド天板４３の支持台４８の構成や支柱６と検査台１１との繋ぎ部３０を結ぶ架橋３４の構成によってα３が４５度をとり得る場合には移動範囲は２７０度なる。
【００３４】
つまり、図６にあるようにスライド天板４３の側面が図面上方から見て支柱６の手前左右の周縁角部と接触するまで移動できる場合、破線で示すように検査台１１の中心０とスライド天板４３の中心線が重なり、かつスライド天板４３の中心線と中心線Ｒがとりうる角度α３を４５度程度に設定することによって更に広い開放空間を得ることができる。尚、被験者の観察上、望ましい移動範囲は２２０度から２４０度程度であることが機能評価で見いだされた。また、この移動範囲は、更に広げて２００度から２７０度程度に設定することが可能である。
【００３５】
上記の例にあっては、スライド天板４３の最大制限域が支柱６によって制限される例について述べたが、最大制限域がスライド天板４３を載置する保持台４５（あるいは支持台８）が箱部２９に接触することによって制限される場合も当然あり得るわけで、この場合、例えば２００度から２６０度の範囲に選ばれる。そして、この角度は２００度から２７０度の範囲に設定することが可能である。
【００３６】
また、図６において、α１はベッドの周方向の移動範囲すなわち設定範囲を表し、α２は医師等がベッド３の左側に立った場合の開放空間角度を表し、そしてα３は支柱６の中心と検査台の中心を結んだ中心線とベッドの中心線との角度を表している。尚、図面から明らかなようにα０／２＝α３の関係を有している。
【００３７】
図６にあるように、支柱６の中心と検査台の中心を結んだ中心線とベッドの中心線との角度α３が７０度に設定されたとき、α１であるベッド３の周方向の移動範囲、つまりベッド３の検査台１１への接続可能角度の範囲は上述した通り、２２０度である。
【００３８】
また、開放空間α２は第３象限Ｄと第４象限Ｃの角度１８０度と、第２象限Ｂの支柱までの角度を加えた角度であり、この場合、検査台の中心から支柱６の手前側の周縁角部に接触するように引いた接線と中心線Ｒのなす角度を３０度程度に設定すると開放空間α２は１８０＋（９０−３０）＝２４０度となり、充分広い開放空間を得ることができる。
【００３９】
上述の例にあっては、スライド天板４３を支持する支持台８が繋ぎ部３０に接触してこれ以上支柱側に移動できない場合について説明した。
【００４０】
支持台８を繋ぎ部３０から離間させて繋ぎ部３０による制限が外されるような場合について考えてみると、この場合にはスライド天板４３の配設位置は支柱６に接触するまでとなって支柱６によって制限されることになる。
【００４１】
すなわち、スライド天板４３は、前記支柱側の一方の象限から開始し、他方の象限内で終了する設置可能範囲α１が、２００度以上の角度で、かつ支柱６によって制限される範囲の角度とされて前記検査台に対向して配設される。
【００４２】
望ましくは、スライド天板４３は、前記支柱側一方の象限から開始し、他方の象限内で終了する設置可能範囲α１が、２４０度以上の角度で、かつ支柱６によって制限される範囲の角度とされて前記検査台に対向して配設される。
【００４３】
図７は、支柱６の中心線Ｒとベッド３（スライド天板４３）の角度α３を７０度に設置したとき、技師あるいは医師５１を検査台１１に近辺に立たせた場合を示す。
【００４４】
α４は検査台１１の中心を通って中心線Ｒに直交する直交線Ｒ’の支柱側範囲の１つである第１象限Ａから始まる移動範囲であり、第４象限Ｃの中心線Ｒ線までの角度範囲を示しており、この場合、移動範囲α４は１８０−７０＝１１０度ということになる。
【００４５】
また、第２象限Ｂでの技師あるいは医師のベッド３に対して動ける範囲、すなわち支柱６までの移動範囲を４５とすると、第２、第３象限での移動範囲は１８０−４５＝１３５度となる。
【００４６】
よって、前述した移動範囲はα２＝１１０＋１３５＝２４５度ということになり、結果として２４０度以上の角度範囲を確保することができる。
【００４７】
ここで、開放空間角度について定義すると、図７の状態であって、スライド天板４３は一般的にほぼ同じ幅を有していることを前提にして、ベッド３の設置角度α３が７０度に設定されたときに、検査台１１の中心０を通って中心線Ｒと直交する第４象限の直交線Ｒ’から計測して支柱６に至る角度を指すものとする。
【００４８】
従って、図７に示す例において支柱６の手前周縁角部に向かって中心０から引いた接線Ｎと中心線Ｒのなす角度を３０度とすると、開放空間角度は第１象限Ａ及び中心０から引いた接線Ｎと中心線Ｒのなす角度を差し引いた角度３６０−（９０＋３０）＝２４０度ということになる。すなわち、移動角度２４５度に対し、２４０度という広い開放空間角度を得ることができる。
【００４９】
本実施例の特徴の１つはこの広い開放空間角度を得られるというにあり、望ましくは２００度以上という移動範囲に対して同等あるいはそれ以上の開放空間角度を確保し、これらの角度の大部分において移動範囲α１と開放空間α２とはラップするということである。これによって、技師あるいは医師の行動できる領域は拡大し、かつ広い開放空間角度が得られるので、被験者に対する看者の観察領域が拡大することになる。
【００５０】
図８および図９は図７の状態に比べてベッド３の設置場所を半径方向に回転させて設定し、図において下方に持って来た場合の例を示す。
【００５１】
図８の場合、ベッド３の設置角度α３を１１５度に設置しているが、この場合、ベッド左方向領域における開放空間角度α２Ａは減少するが、半径方向に回転設置した分だけα２Ｂの領域が拡大し、前述した減少した分が相殺される。
【００５２】
すなわち、左方向の開放空間角度α２Ａは減少するが、右方向の開放空間角度α２Ｂが増加するから総計としての開放空間は実質的に変更はない。
【００５３】
図９の場合、α３を９０度に設置しているが、この場合、ベッド左方向領域における開放空間角度α２Ａは減少するが、半径方向に回転設置した分だけ開放空間角度α２Ｂの領域が拡大し、前述した減少した分が相殺される。
【００５４】
すなわち、左方向の開放空間角度α２Ａも減少するが、右方向の開放空間角度α２Ｂが増加するから総計としての開放空間角度は実質的に変更はない。
【００５５】
図１０に示す例は、天板４５の両側端を切り欠いた例を示すもので、このような構成とすることによって天板４５を繋ぎ部３０に接触させた場合に天板４５をより支柱側に近づけることができるものである。
【００５６】
つまり、両側端を切り欠かないときは、この天板の端部が繋ぎ部３０に接触するため切り欠かない部分だけ天板４５が支柱から遠ざかるからである。
【００５７】
図１１の例は、設置面積の面で多少の不利はあるが、支柱６を検査台１１から図１に示す例よりも離間させ、その間に架橋３４を設置した例を示す。
【００５８】
この例にあっても、支柱と検査台との間にある架橋３４と検査台１１とを結んだ線（繋ぎ部３０）が、検査台中心０と支柱の中心を結ぶ中心線Ｒに対して検査台中心を通って直交する直交線Ｒ’と検査台の周縁部が交わる部分３９から直交線Ｒ’に直角に支柱方向に延ばした線Ｒ”より中心線Ｒ側に後退している。この例では繋ぎ部３０及び架橋３４が共に直交線Ｒ’に直角に支柱方向に延ばした線Ｒ”より中心線Ｒ側に後退している。
【００５９】
このような構成によっても広い移動角度α１及び開放空間角度α２を得られるものであり、技師あるいは医師の行動できる領域は拡大し、かつ広い開放空間角度が得られるので、被験者に対する看者の観察領域が拡大することになる。
【００６０】
図１２の例は、図１１の変形例を示しており、架橋３４の後退状況が直線および曲線の組み合わせによって形成されている。
【００６１】
この例にあっても支柱と検査台との間にある架橋３４と検査台１１とを結んだ線（繋ぎ部３０）が、検査台中心０と支柱の中心を結ぶ中心線Ｒに対して検査台の中心を通って直交する直交線Ｒ’と検査台の周縁部が交わる部分３９から直交線Ｒ’に直角に延ばした線Ｒ”より中心線Ｒ側に後退している。
【００６２】
この例でも繋ぎ部３０及び架橋３４が共に直交線Ｒ’に直角に延ばした線Ｒ”より中心線Ｒ側に後退している。
【００６３】
この場合の特徴は、支柱６の大きさを従来例と同じ大きさに構成しても、架橋３４の形状の工夫によって移動範囲角度α１および開放空間角度α２を１８０度以上に、例えば２２０度に設定できるというところにある。
【００６４】
このような構成によっても広い移動角度α１及び開放空間角度α２を得られるものであり、技師あるいは医師の行動できる領域は拡大し、かつ広い開放空間角度が得られるので、被験者に対する看者の観察領域が拡大することになる。
【００６５】
図１３に示す例は、比較例の例示であり、支柱６の幅を検査台１１の幅と同等もしくはそれ以上とした場合を示している。
【００６６】
この例にあっては、繋ぎ部３０および周縁部３９が一致し、Ｒ”も図のように架橋と同一の線上にあり、移動範囲角度α１および開放空間角度α２はそれぞれほぼ１８０度に制限されることになる。
【００６７】
図１４に示す例は図１４に示す構成の変形例であり、ベッド３の形状を変更することによって移動範囲角度α１及び開放空間角度α２を拡張しようとするものである。
【００６８】
すなわち、ベッド３の支持台８あるいは天板４５の形状を支柱６の形状に依存して図に示すように、架橋３４との接触部を角度をつけて台形状としている。
【００６９】
この場合にあっては確かに開放空間角度α２は若干拡大するが、移動範囲角度α１は１８０度のままであり、拡大されたこ状の変更を伴い、ベッド３の検査台１１に対する設定に当っての精確さを欠くおそれが生じることである。
【００７０】
また、円形状の検査台には形状の相違から設置することができず、使い勝手が悪いという課題を有している。
【００７１】
次に操作盤２３の設置場所について説明する。
【００７２】
図１において、前述したように、上磁石１７を覆ったガントリー２は、上磁石カバー４を有し、該カバーにほぼ垂直方向に横カバー２１を有しており、これらの上磁石カバー４と横カバー２１とによってカバーが構成される。
【００７３】
横カバー２１には、検査台１１の中心０と支柱の中心を結ぶ中心線Ｒ及び検査台１１の中心０を通り、中心Ｒと直交する直交線Ｒ’とで形成される一方の範囲内または双方の範囲である第４象限Ｃ、第３象限Ｄ内に、ＭＲＩ装置１の操作盤２３を設置している。
【００７４】
図１に示す例にあっては、第４象限Ｃ領域に第１の操作盤２３と、Ｒ線上に設置した第２の操作盤２４をそれぞれ設けているが、それぞれの操作盤は同一の機能あるいは異なった機能を有しているものである。
【００７５】
前述したように、移動範囲角度α１の拡大に伴い、第４象限Ｃあるいは第３象限Ｄ領域にある横カバー２１上に操作盤を設けると操作が容易になるというメリットがある。
【００７６】
図１５と図１６、および図１７と図１８は操作盤設置の他の実施例を示す。
図１５と図１６の例にあっては、操作盤２３，２４が第１象限Ａ領域および第４Ｃ領域にそれぞれ設けられている。
【００７７】
また、これらの操作盤の間の中央に正面表示プレート（エンブレムという）５２が設けられている。正面表示プレートは、製造者の表示であってもよい。正面表示プレートは、看者が見る時の正面を示すことになる。
【００７８】
図１７および図１８の例は、正面表示として凹凸パターン５３を設けた例であり、操作盤２３，２４の配置は図１４および図１５に示す例と同じである。この例では更に、３つめの操作盤５４を支柱６上に設けてより使い易いものとしている。
【００７９】
図１９および図２０は、ベッド３の詳細図である。図２０は図１０の天板４５５の詳細を示しており、図１０で説明してあるように天板４５の両側端は切り欠かれ天板４５を繋ぎ部３０に接触させた場合により天板４５を支柱に近づけることができるものである。
【００８０】
また、天板４５の接触部９の形状を検査台円形状接触面２５の形状に合わせている。これによって、検査台１１の周囲にベッド３を設置する作業がやり易くなると共に、検査台とベッドの間に隙間が生じないものである。
【００８１】
図２１は、支持装置の他の例を示す実施例であり、ベッド３に代えて支持機構６０が設けられる。支持機構６０以外は図１に示す例と同じであり、移動範囲角度α１、開放空間範囲角度α２の説明も同じである。
【００８２】
支持機構６０が、天板４５、スライド天板４３およびマット４４を有することは先の説明と同様であるが、天板４５の形状は先の説明の天板より短小な形状とされる。
【００８３】
支持機構６０は、箱部２９の部分で検査台１１に一体化されており、この支持機構６０は、上下動駆動装置６１を備え、上下動駆動装置６１の上下動運動は水平方向に伸びるアーム６２によって天板４５に伝えられ、天板４５すなわちスライド天板４３を水平方向に移動せしめる。
【００８４】
また、上下動駆動装置６１は、コンピュータによってコントロールされる回転動作機構（図示せず）を有しており、回転動作はアーム６２内に設けたリンク機構あるいはモータの電子制御によって天板４５を回転動作させる。
【００８５】
この支持機構６０の設置によって、操作盤２３，２４の操作によりスライド天板４３の配置位置、検査台１１へのスライドをコントロールすることができる。
【００８６】
図２２および図２３は、前述したいずれかのＭＲＩ装置と他の診断装置としてのＣ型アーム式Ｘ線装置とを組み合わせて構成した診断システムの例を示している。
【００８７】
この診断システム１００は、検査台に近接した位置であって、スライド天板４３、すなわちスライド天板４３、マット４４、天板４５を跨いで配設されるＸ線撮像装置７１を設けている。
【００８８】
このＸ線撮像装置としてＣ型アーム式Ｘ線装置７０が適しており、点線はＣ型アーム式Ｘ線撮像装置を移動させたときの移動状態を示している。
【００８９】
このような配置にすることによって、下肢動静脈撮影の際に使用されるステッピング撮影、ボーラスチェイシング撮影をＭＲＩ撮影と同一のスライド天板４３で行うことができ、検査の迅速化を図れると共に、被検者の移動による負担が少ないものである。
【００９０】
図２４は、検査台１１の変形例を示しており、▲１▼は４角形（ベッド３の設置角度α３は４５度程度）、▲２▼は５角形（ベッド３の設置角度α３は７２度程度）、▲３▼は６角形（ベッド３の設置角度α３は６０度程度）、▲４▼は８角形（ベッド３の設置角度α３は４５度程度）にした例であり、これらの例から理解できるように検査台は必ずしも円形状でなくても良いものである。
【００９１】
これらの例にあっては、移動範囲角度α１が支柱６によって制限される例を示しているが、架橋３４があってこの架橋３４と検査台１１との繋ぎ部３０によってスライド天板４３の設置範囲が制限される場合には図１に示す説明が適用される。
【００９２】
この実施例によれば、ＭＲＩ装置は、検査台の上面と天井部の下面とで計測空間を構成し、この計測空間の側面すなわち検査台の片側側面に支柱を設け、この支柱で検査台と天井部とを繋ぐ構成とし、その測定空間に関して前面左右を開放した構造とした装置本体と装置本体に接続する寝台によって構成される。
【００９３】
そして、この構成によれば、計測空間の周囲には、医師等が接近するのに障害となるものが無いため、検査台の左右両方に医師等が接近することが出来、被検査者により近く接近することができるので、被検査者への対応や、必要に応じ治療器具を使用した治療を検査と同時に行うことができる。
【００９４】
また、装置本体に接続する被検差者を乗せる寝台は分離された寝台となっているため、計測空間に対し前方、左右、それぞれの接続が可能である。
【００９５】
この為、（１）計測空間の前側に寝台を接続して、左右両側から医師等が接近する構成、（２）寝台を支柱の左右片側に接近させて接続し、左右片側を広く開放した構成、が出来、室内にコンパクトに配置でき、且つ、医師らの治療器具を使用した検査に必要な開放空間を必要に応じて確保できる効果を有する。
【００９６】
【発明の効果】
以上のように、本発明によれば、検査台上にスライドすることができるようにしたスライド天板を具備するスライド天板支持装置（例えば、ベッド３）の配設することのできる移動範囲角度を大幅に拡大することができるようになったので、移動範囲角度に大きくラップする開放空間範囲角度を大幅に広くすることが可能になり、被検者の検査あるいは診断作業がやり易くすることができる。
【図面の簡単な説明】
【図１】本発明の実施例の構成を示す外観図。
【図２】図１の側面図。
【図３】図１の縦断面図。
【図４】図１の平面断面図。
【図５】支柱６と検査台１１（または箱２７）との関係図。
【図６】図１の主要部の平面図。
【図７】技師を立たせた場合の関係図。
【図８】図６に対応した操作例図。
【図９】図６に対応した操作例図。
【図１０】変形例図。
【図１１】他の実施例の公正を示す外観図。
【図１２】図１１の変形例図。
【図１３】比較例図。
【図１４】比較例の変形例図。
【図１５】操作盤配置の変形例図。
【図１６】図１５の側面図。
【図１７】操作盤配置の他の変形例図。
【図１８】図１７の側面図。
【図１９】ベッド３の詳細側面図。
【図２０】図１９の平面図。
【図２１】支持装置の変形例図。
【図２２】診断システム構成図。
【図２３】図２２の平面図。
【図２４】検査台１１の変形例を示す図。
【符号の説明】
１…ＭＲＩ装置、２…ガントリー、３…ベッド、４…上磁石カバー、５…下磁石カバー、６…支柱、７…ベッド台、８…支持台、９…接続部、１１…検査台、１６…コイル、１７…上磁石、１８…下磁石、２１，２２…横カバー、２３，２４…操作盤、２５…検査台円形状接触面、２７…箱、２９…箱部、３０…繋ぎ部、３４…架橋、３９…周縁部、４３…スライド天板、４４…マット、４５…天板。
【図１】
0004093736.tif 000002
【図２】
0004093736.tif 000003
【図３】
0004093736.tif 000004
【図４】
0004093736.tif 000005
【図５】
0004093736.tif 000006
【図６】
0004093736.tif 000007
【図７】
0004093736.tif 000008
【図８】
0004093736.tif 000009
【図９】
0004093736.tif 000010
【図１０】
0004093736.tif 000011
【図１１】
0004093736.tif 000012
【図１２】
0004093736.tif 000013
【図１３】
0004093736.tif 000014
【図１４】
0004093736.tif 000015
【図１５】
0004093736.tif 000016
【図１６】
0004093736.tif 000017
【図１７】
0004093736.tif 000018
【図１８】
0004093736.tif 000019
【図１９】
0004093736.tif 000020
【図２０】
0004093736.tif 000021
【図２１】
0004093736.tif 000022
【図２２】
0004093736.tif 000023
【図２３】
0004093736.tif 000024
【図２４】
0004093736.tif 000025